(57)【要約】【課題】ハードディスクの容量を節約しつつ、思い通りのプレイリストを生成して音楽を再生することができるようにする。【解決手段】ＣＤ５０の収録曲がハードディスク１２に既に録音済みであるときに、当該録音済みの曲を除いた残りの収録曲をハードディスク１２に録音するように制御する録音制御部４と、ＣＤ５０の全ての収録曲を含んだプレイリスト２２を生成して記録するプレイリスト記録部５とを設け、ハードディスク１２に録音済みの曲は改めて録音しないようにするとともに、録音済みの曲を除いて録音が行われたか否かにかかわらず、全ての収録曲を含んだプレイリスト２２を生成して記録することにより、同じ曲をハードディスク１２に重複して記録する無駄を省くとともに、未録音の曲があってもその曲が抜け落ちていない、収録曲通りのプレイリスト２２を生成して音楽を再生できるようにする。【選択図】        図１
2004362697.tif 000002
【特許請求の範囲】
【請求項１】
録音対象となるオーディオ記録媒体に記録されている付随情報によって特定される収録曲と、ハードディスクに記録されている既に録音済みの曲に関する付加情報によって特定される録音曲とを比較して、上記オーディオ記録媒体の収録曲が上記ハードディスクに既に録音済みか否かを判定する判定手段と、
上記判定手段によって、上記ハードディスクに既に録音済みの曲が上記オーディオ記録媒体に含まれていると判断されたときに、当該録音済みの曲を除いた残りの収録曲を上記ハードディスクに録音するように制御する録音制御手段と、
上記録音制御手段により上記録音済みの曲を除いて録音が行われたか否かにかかわらず、上記オーディオ記録媒体の全ての収録曲を含んだプレイリストを生成して記録するプレイリスト記録手段とを備えたことを特徴とするハードディスクへのオーディオ記録装置。
【請求項２】
上記オーディオ記録媒体の付随情報に基づいて、上記オーディオ記録媒体の収録曲に関する情報を格納したデータベースにアクセスして情報を検索し、当該収録曲の曲名、アーティスト名、演奏時間の少なくとも一の楽曲情報を特定する収録曲特定手段を備え、
上記判定手段は、上記収録曲特定手段により特定された上記楽曲情報と、上記ハードディスクに記録されている上記付加情報とを比較して、上記オーディオ記録媒体の収録曲が上記ハードディスクに既に録音済みか否かを判定することを特徴とする請求項１に記載のハードディスクへのオーディオ記録装置。
【請求項３】
上記プレイリスト記録手段は、上記ハードディスクに新たに録音された曲に関しては、当該新たに録音された曲に対して関連付けを行い、既に録音済みのため上記ハードディスクに録音されなかった曲に関しては、既に録音済みの曲に対して直接または間接的に関連付けを行ったプレイリストを生成することを特徴とする請求項１に記載のハードディスクへのオーディオ記録装置。
【請求項４】
録音対象となるオーディオ記録媒体に記録されている収録曲がハードディスクに既に録音済みか否かを判定し、上記ハードディスクに既に録音済みの曲が上記オーディオ記録媒体に含まれているときに、当該録音済みの曲を除いた残りの収録曲を上記ハードディスクに録音するとともに、上記オーディオ記録媒体の全ての収録曲を含んだプレイリストを生成して記録するようにしたことを特徴とするハードディスクへのオーディオ記録方法。
【請求項５】
上記プレイリストは、上記ハードディスクに新たに録音された曲に関しては当該新たに録音された曲に対して関連付けが成されるとともに、既に録音済みのため上記ハードディスクに録音されなかった曲に関しては当該既に録音済みの曲に対して直接または間接的に関連付けが成されたものであることを特徴とする請求項４に記載のハードディスクへのオーディオ記録方法。
【発明の詳細な説明】
【０００１】
【発明の属する技術分野】
本発明はハードディスクへのオーディオ記録装置および方法に関し、特に、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｋ）などの記録媒体に記録されている音楽をハードディスクに録音する際における曲データおよびプレイリストの記録方式に関するものである。
【０００２】
【従来の技術】
近年、車室内の大きな振動や温度変化に十分耐えうるハードディスクの開発が進み、ハードディスクを搭載した車載オーディオ装置が提供されるようになってきている。この種の車載オーディオ装置によれば、ＣＤやＤＶＤなどの各種メディアに記録されているオーディオデータをハードディスクに録音することにより、複数枚のメディアを抜き差しすることなく多くの音楽を楽しむことができる。
【０００３】
この種の装置では、ＣＤやＤＶＤをハードディスクに録音すると、それらの収録内容を表すプレイリストが作成され、ハードディスクに記録される。再生時には、画面上に表示されたプレイリストの中からユーザが所望のものを選択することにより、ハードディスクに録音されているＣＤやＤＶＤのオーディオデータを再生することができるようになっている（例えば、特許文献１参照）。
【０００４】
【特許文献１】
特開２００２−１２３２６７号公報
【０００５】
ところで、ハードディスクに多数の曲を録音できると言っても、ハードディスクの容量には制限がある。特に、車載用のハードディスクは、パーソナルコンピュータ用の一般的なハードディスクに比べてその容量は小さい。そのため、同じ曲を重複して記録することを避けたいという要望がある。
【０００６】
従来、この要望に答えるために、車載ハードディスクにＣＤを録音しようとした場合に、そのＣＤの中に既に録音済みの曲があれば、録音済みである旨をユーザに知らせる機能が提供されている（例えば、上記特許文献１参照）。また、あるＣＤの録音を途中で中断した場合に、次回それと同じＣＤを録音するときは、前回の録音時に生成したプレイリストを参照して、前回録音した曲の次から続けて未録音の曲だけを録音するといった機能も存在する。
【０００７】
録音しようとする曲がハードディスクに既に録音済みか否かを判断する際は、その曲の曲名やアーティスト名などが利用される。ただし、ＣＤにはこれらの曲名やアーティスト名などの付加情報は直接記録されていない。そのため、上記特許文献１に記載のシステムでは、ＷＷＷサーバにアクセスしてこれらの付加情報を取得するようになっている。ＣＤの付加情報をＷＷＷサーバにアクセスして取得する仕組みは、例えば特許文献２にも記載されている。
【０００８】
【特許文献２】
特開平１１−２８８５５７号公報
【０００９】
【発明が解決しようとする課題】
しかしながら、上記従来技術のように、既に録音済みの曲があった場合にその曲の録音を行わないようにすると、以下のような問題が生じる。例えば、異なるＣＤに同じ曲が入っている場合、それらのＣＤをハードディスクに録音しようとすると、最初に録音したＣＤについては、オリジナルのＣＤ通りにプレイリストが生成される。
【００１０】
ところが、後から録音するＣＤについては、既に録音されている曲については改めて録音されないため、重複している曲が抜け落ちたプレイリストが出来てしまう。これでは、そのプレイリストを再生時に選択しても、オリジナルのＣＤ通りに再生が行われず、他のＣＤと重複している曲が抜け落ちた状態で再生が行われてしまうことになる。
【００１１】
本発明は、このような問題を解決するために成されたものであり、同じ曲を重複して記録しないことによりハードディスクの容量を節約しつつ、収録曲通りのプレイリストを生成して再生を行うことができるようにすることを目的とする。
【００１２】
【課題を解決するための手段】
上記した課題を解決するために、本発明では、ハードディスクに既に録音済みの曲が収録されているオーディオ記録媒体を録音する際には、既に録音済みの曲は新たに録音せずに、残りの収録曲だけを録音する。また、プレイリストに関しては、当該録音済みの曲も含めて全収録曲のプレイリストを生成して記録するようにする。
【００１３】
上記のように構成した本発明によれば、あるオーディオ記録媒体を録音しようとするとき、ハードディスクに既に録音済みの曲があれば、その曲は新たに録音されることがない。これにより、容量に制限のあるハードディスク内に同じ曲が重複して記録されるという無駄をなくすことができる。また、曲データ自体が録音されなくても、プレイリストにはその曲に対応する情報も記録されるので、未録音の曲があってもその曲が抜け落ちたプレイリストが出来ることはない。
【００１４】
【発明の実施の形態】
以下、本発明の一実施形態を図面に基づいて説明する。図１は、本発明によるハードディスクへのオーディオ記録装置を実施したオーディオ記録再生装置の構成例を示す機能ブロック図である。
【００１５】
図１に示すように、本実施形態によるオーディオ記録装置１０は、データ読取部１、ＣＤ情報取得部２、比較判定部３、録音制御部４およびプレイリスト記録部５を備えて構成されている。また、このオーディオ記録装置１０を適用したオーディオ記録再生装置１００は、当該オーディオ記録装置１０の他に、ＣＤＤＢ（ＣＤ  Ｄａｔａｂａｓｅ）１１、ハードディスク１２、再生制御部１３、Ｄ／Ａ変換器１４、アンプ１５およびスピーカ１６を備えて構成されている。
【００１６】
ＣＤＤＢ１１は、各種の音楽ＣＤに収録された楽曲に関する情報（収録曲の曲名、アーティスト名、アルバム名、ジャンル、演奏時間など）を提供するためのデータベースである。なお、ここではＣＤＤＢ１１をオーディオ記録再生装置１００自身が備える構成を示しているが、この例に限定されない。例えば、オーディオ記録再生装置１００の外部にＣＤＤＢ１１を備え、オーディオ記録再生装置１００とＣＤＤＢ１１とをインターネット等のネットワークで接続するようにしても良い。
【００１７】
ハードディスク１２は、曲データ２１、当該曲データ２１に関する付加情報（曲名、アーティスト名、アルバム名、ジャンル、演奏時間など）２２、プレイリスト２３を記録している。再生制御部１３は、上述の曲データ２１、付加情報２２およびプレイリスト２３を用いて楽曲の再生制御を行う。すなわち、ユーザによって所望のプレイリスト２３が選択されると、そのプレイリスト２３によって指定される曲データ２１を読み出して、Ｄ／Ａ変換器１４に供給する。このとき、付加情報２２を図示しないディスプレイに表示する。
【００１８】
Ｄ／Ａ変換器１４は、再生制御部１３により再生されたデジタルの曲データ２１をアナログオーディオ信号に変換する。アンプ１５は、Ｄ／Ａ変換器１４から出力されたアナログオーディオ信号を所定レベルに増幅する。スピーカ１６は、アンプ１５により増幅されたアナログオーディオ信号をもとに、再生音声を出力する。
【００１９】
データ読取部１は、ＣＤ５０（本発明のオーディオ記録媒体に相当）から収録曲の曲データおよびその付随情報であるＴＯＣ（Ｔａｂｌｅ  ｏｆ  Ｃｏｎｔｅｎｔｓ）情報を読み出す。ＣＤ情報取得部２は、データ読取部１により読み出されたＴＯＣ情報をキーとしてＣＤＤＢ１１にアクセスして情報を検索し、そのＣＤ５０に関する楽曲情報（収録曲の曲名、アーティスト名、アルバム名、ジャンル、演奏時間など）を取得する。このＣＤ情報取得部２は、本発明の収録曲特定手段に相当する。
【００２０】
比較判定部３は、ＣＤ情報取得部２により特定されたＣＤ５０の楽曲情報と、ハードディスク１２に既に記録されている付加情報２２とを比較して、ＣＤ５０の収録曲がハードディスク１２に曲データ２１として既に録音済みか否かを判定する。ここで、比較に用いる情報は、曲名、アーティスト名、アルバム名、ジャンル、演奏時間などの全てであっても良いし、この中の一部であっても良い。本来は違う曲を同じであると誤判断することを避けるため、曲名、アーティスト名および演奏時間などの複数の情報を用いて比較するのが好ましい。
【００２１】
なお、本実施形態のオーディオ記録装置１０は、ＣＤ５０の録音時に記録ビットレート（圧縮率）をユーザが任意に指定できるように構成しても良い。この場合に、ビットレート情報も付加情報２２の一部として記録しておくようにする。そして、上述の楽曲情報に加えて、ユーザが指定したビットレートと付加情報２２のビットレートとを比較し、楽曲情報が同じでもビットレートが異なれば違う曲であると判断するようにしても良い。
【００２２】
録音制御部４は、比較判定部３による判定結果に応じて、ＣＤ５０の録音を制御する。具体的には、比較判定部３によって、ハードディスク１２に既に録音済みの曲がＣＤ５０に含まれていると判断されたときに、当該録音済みの曲を除いた残りの収録曲を曲データ２１としてハードディスク１２に録音するように制御する（録音済みの曲は録音しない）。また、このとき録音する曲に対応する楽曲情報を、付加情報２２としてハードディスク１２に記録するように制御する。
【００２３】
プレイリスト記録部５は、録音済みの曲を除いて録音が行われたか否かにかかわらず、ＣＤ５０の全ての収録曲を含んだプレイリスト２３を生成してハードディスク１２に記録する。ここで生成するプレイリスト２３は、例えば、収録曲の曲名（ＣＤ情報取得部２により取得されたもの）と、ハードディスク１２内での曲データ２１の記録場所を表すアドレス情報とを含んでいる。
【００２４】
図２は、上記のように構成したオーディオ記録装置１０の動作を説明するための図である。ここでは、最初にＣＤアルバムＡを録音し、その後で別のＣＤアルバムＢを録音する場合を想定している。ＣＤアルバムＡとＣＤアルバムＢの中には、同じ曲αが収録されている（その他の曲は全て異なっている）ものとする。
【００２５】
まず、ＣＤアルバムＡをハードディスク１２に録音するときは、ＣＤアルバムＡの収録曲は、全てハードディスク１２に未だ録音されていない状態である。したがって、この場合は全ての収録曲を曲データ２１Ａとしてハードディスク１２に録音するとともに、全ての収録曲を含んだプレイリスト２３Ａを生成してハードディスク１２に記録する。
【００２６】
次に、ＣＤアルバムＢをハードディスク１２に録音するときは、その中の曲αは、ハードディスク１２に既に録音されている。したがって、この場合は、当該録音済みの曲αを除いた残りの収録曲を曲データ２１Ｂとしてハードディスク１２に録音する（曲αは録音しない）。ただし、この場合でも、曲αを含む全ての収録曲のプレイリスト２３Ｂを生成してハードディスク１２に記録する。
【００２７】
ここで、プレイリスト２３Ｂの構成について説明する。ハードディスク１２に新たに録音された曲（曲α以外）に関しては、当該新たに録音された曲の曲名と、新たに録音された曲の記録場所を表すアドレス情報とをプレイリスト２３Ｂ中に記述することによって、ＣＤアルバムＢの曲データ２１Ｂに対して直接関連付けを行う。
【００２８】
一方、既に録音済みのためハードディスク１２に録音されなかった曲αに関しては、既に録音済みのＣＤアルバムＡの曲データ２１Ａに対して直接または間接的に関連付けを行う。すなわち、プレイリスト２３Ｂの曲αに該当する部分に、曲αの曲名と、ＣＤアルバムＡ中の曲αの記録場所を表すアドレス情報とを記述することによって、ＣＤアルバムＡの曲データ２１Ａに対して直接関連付けを行うことが可能である（▲１▼）。また、プレイリスト２３Ｂの曲αに該当する部分に、曲αの曲名と、プレイリスト２３Ａ中の曲αに該当する部分へのリンク情報とを記述することによって、ＣＤアルバムＡの曲データ２１Ａに対して間接的に関連付けを行うようにしても良い（▲２▼）。
【００２９】
以上詳しく説明したように、本実施形態によれば、ＣＤ５０をハードディスク１２に録音しようとするときに、収録曲がハードディスク１２に既に録音済みか否かを判定し、既に録音済みの曲が含まれているときには、当該録音済みの曲はハードディスク１２に録音しないようにするとともに、全ての収録曲を含んだプレイリスト２３を生成して記録するようにしたので、同じ曲を重複して記録する無駄を省いてハードディスク１２の容量を節約しつつ、収録曲通りのプレイリスト２３を生成して、音楽を再生することができる。特に、ベスト盤のＣＤ５０を録音しようとしたときは、かなり有効である。
【００３０】
なお、上記実施形態では、オーディオ記録媒体の例としてＣＤ５０を挙げて説明したが、オーディオＤＶＤなど他の記録媒体であっても良い。また、図示しないＷｅｂサーバから好みの楽曲（例えば、ＭＰ３（ＭＰＥＧ−１  Ａｕｄｉｏ  Ｌａｙｅｒ−３）形式の音楽ファイル）をダウンロードしてハードディスク１２に録音する場合にも、上記実施形態を適用することが可能である。この場合には、同じ曲を重複して記録する無駄を省いてハードディスク１２の容量を節約しつつ、ユーザが思い通りのプレイリスト２３を生成して音楽再生を楽しむことができる。
【００３１】
また、上記実施形態では、ＴＯＣ情報をもとにＣＤＤＢ１１を検索することによって楽曲情報を特定する例について説明したが、ＣＤテキストを含んだ音楽ＣＤであれば、ＣＤＤＢ１１にアクセスしなくても、当該ＣＤテキストから直接楽曲情報を特定することが可能である。また、例えばＭＰ３形式の音楽ファイルをＷｅｂサーバからダウンロードする場合において、音楽ファイルに楽曲情報が付属していれば、当該付属情報から楽曲情報を直接特定することが可能である。
【００３２】
また、上記実施形態は、車載オーディオシステムだけでなく、家屋内に設置されるホームオーディオシステムにも適用することが可能である。
【００３３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００３４】
【発明の効果】
本発明は上述したように、オーディオ記録媒体をハードディスクに録音しようとするときに、収録曲がハードディスクに既に録音済みか否かを判定し、既に録音済みの曲が含まれているときには、当該録音済みの曲を除いてハードディスクに録音するとともに、全ての収録曲を含んだプレイリストを生成して記録するようにしたので、同じ曲を重複して記録する無駄を省いてハードディスクの容量を節約しつつ、思い通りのプレイリストを生成して音楽を再生することができる。
【図面の簡単な説明】
【図１】本発明によるハードディスクへのオーディオ記録装置を実施したオーディオ記録再生装置の構成例を示す機能ブロック図である。
【図２】本実施形態によるオーディオ記録装置の動作を説明するための図である。
【符号の説明】
１  データ読取部
２  ＣＤ情報取得部
３  比較判定部
４  録音制御部
５  プレイリスト記録部
１０  オーディオ記録装置
１１  ＣＤＤＢ
１２  ハードディスク
１３  再生制御部
１４  Ｄ／Ａ変換器
１５  アンプ
１６  スピーカ
２１  曲データ
２２  付加情報
２３  プレイリスト
【図１】
2004362697.tif 000003
【図２】
2004362697.tif 000004